(57)【要約】【課題】内部スペースの小さい便器など各種の便器について容易に据付施工することが可能となる排水ソケット及び便器設置構造を提供する。【解決手段】排水ソケット８は、ソケットロワー１０と、該ソケットロワー１０に対しスライド自在に係合したソケットアッパー２０とを有する。ソケットアッパー２０の上部は、便器の排水口１ａが上方から差し込まれる略円環形の排水口差込口２２となっている。この排水口差込口２２の下側に略円筒状の細胴部２４が連なっており、上片２４ａと下片２４ｂとの間に内縁１８ａが係合することにより、ソケットアッパー２０はスライド可能となっている。ソケットアッパー２０の側周面全体とソケットロワー１０の上部外周面とを覆うように筒状のカバー３２が設けられている。【選択図】  図１
2004204476.tif 000002
【特許請求の範囲】
【請求項１】
トイレルームの床面上に設置され、便器の排水口と排水管とを接続するための排水ソケットであって、
上向きに開放する排水口差込口が上部に設けられたソケットアッパーと、
流出口が下部に設けられているソケットロワーとを備えてなり、
該ソケットアッパーが該ソケットロワーに対しスライド可能に取り付けられている排水ソケットにおいて、
該ソケットアッパーは、該排水口差込口の下側に連なり、且つ該排水口差込口よりも小径となっている細胴部を備えており、
該細胴部が前記ソケットロワーに対しスライド可能に係合していることを特徴とする排水ソケット。
【請求項２】
請求項１において、前記ソケットロワーの上部に該細胴部の下端が係合する係合口が設けられており、該係合口は１対の平行な内縁を有しており、
前記細胴部の下部には、該内縁にスライド自在に係合した係合部が設けられていることを特徴とする排水ソケット。
【請求項３】
請求項２において、前記係合部は、前記内縁の上側に張り出す上片と前記内縁の下側に張り出す下片とで構成されており、該上片と下片との間に該内縁が介在していることを特徴とする排水ソケット。
【請求項４】
請求項３において、該上片には、前記１対の内縁と平行な平行辺部が設けられており、
前記ソケットロワーの上面には、該平行辺部が摺動する、該平行辺部と平行なガイド辺部が設けられていることを特徴とする排水ソケット。
【請求項５】
請求項１ないし４のいずれか１項において、前記細胴部の下端部分にオリフィス部が設けられていることを特徴とする排水ソケット。
【請求項６】
請求項１ないし５のいずれか１項において、前記排水口差込口の外径は８０〜１３０ｍｍであることを特徴とする排水ソケット。
【請求項７】
請求項１ないし６のいずれか１項において、上部が該ソケットアッパーに取り付けられ、下部が該ソケットロワーに取り付けられ、少なくとも前記係合口の外周囲を囲んでいるカバーが設けられていることを特徴とする排水ソケット。
【請求項８】
トイレルームの床面上に便器が設置され、該便器の下向きに開口する排水口が排水ソケットを介してトイレルームの排水管に接続されている便器設置構造において、
該排水ソケットが請求項１ないし７のいずれか１項に記載の排水ソケットであることを特徴とする便器設置構造。
【請求項９】
請求項８において、該排水ソケットは、請求項４に記載のものであり、前記ソケットアッパーがソケットロワーに対し便器の前後方向にスライド可能に設置されていることを特徴とする便器設置構造。
【発明の詳細な説明】
【０００１】
【発明の属する技術分野】
本発明は、トイレルーム床面上に設置される排水ソケットと、この排水ソケットを用いた便器設置構造に関するものである。
【０００２】
【従来の技術】
トイレルームの床面に便器を設置する場合、第６図のように床面Ｆの排水管２の上端に排水ソケット３を接続すると共に該排水ソケット３を床面Ｆにビス等によって固定しておく。この排水ソケット３の上端の排水口差込口にはパッキン４が装着されている。便器１を、その排水口１ａが該排水口差込口のパッキン４に内嵌するように上方から床面Ｆ上に降下させる。
【０００３】
従来から広く用いられている排水ソケット３にあっては、排水管２の施工位置がズレている場合に、パッキン４の弾性によりズレを調整しているが、１枚のパッキン４のみでは、位置のズレの調整能力が小さく、ズレが大きいときには、そのままでは便器１の設置施工ができない。
【０００４】
このような不便を解消するものとして、特開２０００−１９９２５６号公報には、排水ソケットの上端部を著しく大径にし、この上端部の内側にスライド可能な有底筒部材を配置し、該有底筒部材の外周と排水ソケット上端部の内周との間に蛇腹状パッキンを配材し、有底筒部材と便器排水口との間に従来と同様のパッキンを介在させる構造が記載されている。
【０００５】
【特許文献１】
特開２０００−１９９２５６号公報
【０００６】
【発明が解決しようとする課題】
上記特開２０００−１９９２５６号公報の排水ソケットは、上端部が著しく大径となっているため、便器の台座部やトラップ部に排水ソケットが当るおそれがある。そのため、便器の台座部とトラップ部との間のスペースが小さい便器には適用できないという短所がある。
【０００７】
本発明は、便器の位置ズレ調整代が大きく、しかも便器の内部スペース（便器の台座部とトラップ部との間）が狭い便器など各種の便器に対し適用することができる排水ソケットと、この排水ソケットを用いた便器設置構造を提供することを目的とする。
【０００８】
【課題を解決するための手段】
本発明の排水ソケットは、トイレルームの床面上に設置され、便器の排水口と排水管とを接続するための排水ソケットであって、上向きに開放する排水口差込口が上部に設けられたソケットアッパーと、流出口が下部に設けられているソケットロワーとを備えてなり、該ソケットアッパーが該ソケットロワーに対しスライド可能に取り付けられている排水ソケットにおいて、該ソケットアッパーは、該排水口差込口の下側に連なり、且つ該排水口差込口よりも小径となっている細胴部を備えており、該細胴部が前記ソケットロワーに対しスライド可能に係合していることを特徴とするものである。
【０００９】
また、本発明の便器設置構造は、トイレルームの床面上に便器が設置され、該便器の下向きに開口する排水口が排水ソケットを介してトイレルームの排水管に接続されている便器設置構造において、該排水ソケットが本発明の排水ソケットであることを特徴とするものである。
【００１０】
かかる本発明の排水ソケット及び便器設置構造によると、排水ソケットの排水口差込口が上記特開２０００−１９９２５６号公報に比べて著しく小さいものとなる。またソケットアッパーに小径の細胴部を設けているので、この細胴部が係合するソケットロワーの上部が小さなもので足り、排水ソケットがスマートで小径なものとなる。
【００１１】
このため、便器の内部スペースが小さい場合であっても排水ソケットによって便器の排水口と床の排水管とを接続することができる。
【００１２】
本発明の一態様においては、ソケットロワーの上部に該細胴部の下部が係合する係合口が設けられており、該係合口は１対の平行な内縁を有しており、前記細胴部の下端には、該内縁にスライド自在に係合した係合部が設けられている。ソケットアッパーは、この係合口の内縁に沿って移動する。
【００１３】
この場合、細胴部の該係合部は、前記内縁の上側に張り出す上片と前記内縁の下側に張り出す下片とで構成されており、該上片と下片との間に該内縁が介在していることが好ましい。さらに、この場合、上片には、前記１対の内縁と平行な平行辺部が設けられており、前記ソケットロワーの上面には、該平行辺部が摺動する、該平行辺部と平行なガイド辺部が設けられている構成としてもよい。このようにすれば、ソケットアッパーがよりスムーズにスライドするようになる。
【００１４】
本発明では、細胴部の下端部分にオリフィス部が設けられていることが好ましい。
【００１５】
本発明では、排水口差込口の外径は８０〜１３０ｍｍ程度であることが好ましい。このように排水口差込口を外径の小さいものとすることにより、内部スペースの小さい各種の便器についても本発明の細胴部を適用することが可能となる。
【００１６】
【発明の実施の形態】
以下、図面を参照して実施の形態について説明する。第１図は実施の形態に係る排水ソケットのカバーを取り除いた状態の斜視図、第２図は第１図のII−II線断面図、第３図は第２図と直交方向の断面図、第４図は別の実施の形態に係る排水ソケットの斜視図、第５図は第４図のＶ−Ｖ線断面図である。
【００１７】
第１図〜第３図の排水ソケット８は、トイレルームの床面上に固定されるソケットロワー１０と、該ソケットロワー１０に対しスライド自在に係合したソケットアッパー２０とを有する。
【００１８】
ソケットロワー１０は、床面に重なるベースプレート１２と、該ベースプレート１２から立設された略円筒状の下胴体１４と、該下胴体１４の下側において開放する流出口１６と、下胴体１４の上面部１４ａに設けられた係合口１８等を備えている。ベースプレート１２の４隅部からは突片１２ａが突設されており、この突片１２ａにビス等の挿通用の孔１２ｂが設けられている。
【００１９】
係合口１８には、洋風便器の前後方向と平行方向に延在する１対の平行な内縁１８ａが設けられている。
【００２０】
ソケットアッパー２０の上部は、便器の排水口１ａが上方から差し込まれる略円環形の排水口差込口２２となっている。この排水口差込口２２の下側に略円筒状の細胴部２４が連なっており、この細胴部２４の下端には開口２６が設けられている。
【００２１】
この細胴部２４の下端には、前記内縁１８ａの上側に張り出す上片２４ａと内縁１８ａの下側に張り出す下片２４ｂとが設けられている。この実施の形態では、該上片２４ａ及び下片２４ｂは、細胴部２４の下端部の外周を周回するフランジ状となっている。この上片２４ａと下片２４ｂとの間に内縁１８ａが介在している。
【００２２】
なお、細胴部２４の外周面のうち上片２４ａと下片２４ｂとの間であって且つ該内縁１８ａと対面する部位は、該内縁１８ａの延在方向に延在する平面となっている。この上片２４ａと下片２４ｂとの間に該内縁１８ａが係合することにより、ソケットアッパー２０は内縁１８ａに沿ってスライド可能となっている。なお、排水ソケット８は、このスライド方向が便器前後方向となるように設置される。
【００２３】
なお、開口２６の内周面からはオリフィス部２４ｃが突設されている。このオリフィス部２４ｃは、従来の排水ソケットのオリフィスと同じ機能のものであり、便器からの排水時にサイホンが形成され易くするためのものである。
【００２４】
環形の排水口差込口２２の上端部は、内環部２２ａと外環部２２ｂとの二重環状となっており、リング状パッキン３０の外周縁が該内環部２２ａと外環部２２ｂとの間に押し込まれている。
【００２５】
該パッキン３０は、内方に向って下り勾配となっているものである。このパッキン３０自体は、従来の排水ソケットに用いられているものと同じである。
【００２６】
このソケットアッパー２０の側周面全体とソケットロワー１０の上部外周面とを覆うように筒状のカバー３２が設けられている。このカバー３２の上端部は留めリング３２ａによって外嵌部２２ｂに留め付けられており、下端部は留めリング３２ａによって下胴体１４の上部に留め付けられている。このカバー３２は蛇腹部３２ｂを備え、伸縮自在となっている。
【００２７】
この排水ソケット８を用いて便器の設置施工を行う場合、流出口１６が前記第６図と同様にトイレルーム床の排水管に接続されるようにして該排水ソケット８をトイレルーム床にビス留め等により固定する。
【００２８】
次いで、便器の排水口１ａがパッキン３０の中心孔を介して排水口差込口２２内に差し込まれるように便器をトイレルーム床面上に降ろし、便器を床面に固定する。
【００２９】
この排水ソケットは、ソケットアッパー２０がソケットロワー１０に対し第２図（ａ），（ｂ）の如く便器前後方向にスライド可能であるので、排水口１ａの位置に応じて排水口差込口２２を排水口１ａの真下に配置させて便器の据え付け作業を行うことができる。なお、第２図（ａ）ではソケットアッパー２０は便器前方側に位置しており、第２図（ｂ）ではソケットアッパー２０は便器後方側に位置している。
【００３０】
この排水ソケット８は、排水口差込口２２がパッキン３０と略同等の小外径のものであるところから、排水口１ａの周囲の空間スペースが小さい場合でも排水口差込口２２に排水口１ａを差し込むことができる。なお、排水口差込口２２の外径は８０〜１３０ｍｍ程度であることが望ましい。
【００３１】
また、ソケットアッパー２０の下部は細胴部２４となっているので、下胴体１４も小径である。このためソケットロワー１０も小型化でき、内部スペースが小さい便器についてもこの排水ソケット８を用いて据付施工することができる。
【００３２】
第４，５図の排水ソケット８Ａは、ソケットアッパー２０のスライドを案内するための１対のガイド４０を下胴体上面１４ａに設けたものである。
【００３３】
前記第１図の通り、上片２４ｂには内縁１８ａと平行な平行辺部２４ｄが設けられている。ガイド４０は、この平行辺部２４ｄが摺動するガイド辺部４０ａを備えている。このガイド辺部４０ａは平行辺部２４ｄと平行方向に延在している。このガイド４０を設けたことにより、ソケットアッパー２０はきわめてスムーズにスライド可能である。なお、第４，５図のその他の構成は前記第１〜３図の実施の形態と同じであり、同一符号は同一部分を示している。
【００３４】
上記実施の形態はいずれも本発明の一例であり、本発明は図示以外の形態をもとりうる。
【００３５】
【発明の効果】
以上の通り、本発明の排水ソケット及び便器設置構造によると、内部スペースの小さい便器など各種の便器について容易に据付施工することが可能となる。
【図面の簡単な説明】
【図１】実施の形態に係る排水ソケットのカバーを取り除いた状態の斜視図である。
【図２】図１のII−II線断面図である。
【図３】図２と直交方向の断面図である。
【図４】別の実施の形態に係る排水ソケットの斜視図である。
【図５】図４のＶ−Ｖ線断面図である。
【図６】従来の排水ソケット及び便器設置構造を説明する部分断面図である。
【符号の説明】
８，８Ａ  排水ソケット
１０  ソケットロワー
１４  下胴体
１４ａ  下胴体の上面部
１８  係合口
１８ａ  内縁
２０  ソケットアッパー
２２  排水口差込口
２４  細胴部
２４ａ  上片
２４ｂ  下片
２４ｃ  オリフィス部
２４ｄ  平行辺部
３０  パッキン
４０  ガイド
４０ａ  ガイド辺部
【図１】
2004204476.tif 000003
【図２】
2004204476.tif 000004
【図３】
2004204476.tif 000005
【図４】
2004204476.tif 000006
【図５】
2004204476.tif 000007
【図６】
2004204476.tif 000008